(57)【特許請求の範囲】
【請求項１】
把持可能な取っ手（１０）と、
前記取っ手（１０）の内側に設けられるバッテリーケース（２０）と、
前記バッテリーケース（２０）に装着されるバッテリー（３０）と、
前記取っ手（１０）の下端に結合され、スイッチ（４１）、赤色ＬＥＤランプ（４２ａ）および緑色ＬＥＤランプ（４２ｂ）を備え、内部に回路基板（Ｐ）が装着される連結部材（４０）と、
シリコンーブラシ（５４）が形成されたコテヘッド（５３）及びコテ棒（５２）からなる、コテ部（５０）と、
前記コテ部（５０）は、前記コテ棒（５２）およびコテヘッド（５３）の内側に発熱体（５８）を備えて、前記連結部材（４０）の下端に着脱可能に結合されて交換可能であり、
前記コテ部を保護するためのカバー（６０）と、
基板上に設置され、ワンチップマイコンからなり、前記発熱体の温度をチェックし、発熱体が基準温度を超える場合には発熱体への供給電源を遮断し、発熱体が基準温度以下の場合には発熱体に電源を供給して、常に一定の温度に発熱体が加熱されるように制御する作動制御部（７０）とを含み、
前記作動制御部（７０）は、使用者が電源をオンさせると、発熱体に電源を供給して発熱させるとともに赤色ＬＥＤを点灯させ、発熱体に電源を供給した時点から時間をカウントするプログラムコードと、
予め指定された時間範囲内に発熱体の温度が８５度に達したか否かを判断するプログラムコードと、
予め指定された時間範囲内に８５度に発熱しない場合には、発熱体の故障と判断して発熱体への電源供給を中断し、赤色ＬＥＤを点滅させるプログラムコードと、
予め指定された時間範囲内に発熱体の温度が８５度に達した場合には、緑色ＬＥＤを点灯させ、使用時間をカウントするプログラムコードと、
発熱体の温度が８５度を超過する場合には電源供給を中断して、８５度未満の場合には電源を供給して、発熱体の温度が８５度となるように誘導し、指定された時間が経過すると自動的に発熱体への供給電源をオフさせるプログラムコードと、
を有することを特徴とする、発熱体を内蔵したまつげマスカラ装置。
【発明の詳細な説明】
【技術分野】
【０００１】
本発明は、発熱体を内蔵したまつげマスカラ装置及びその制御方法に係り、特に、マスカラの内部に発熱体を装着するが、前記発熱体を使用する上で最も適した状態を外部に表示することにより、まつげに最適な発熱温度の状態でアイメイクが行われるようにし、かつ、一定の時間後には自動的に電源がオフになって長時間のまつげの加熱を予防するようにすることを特徴とする、発熱体を内蔵したまつげマスカラ装置及びその制御方法に関する。
【背景技術】
【０００２】
いかなる時代もそれぞれ美の基準を持っているが、それを基準に、多くの女性は自分の美しさを育ててきた。このような美しさへの欲求は化粧品の技術発展および多様な化粧品の開発につながってきた。
【０００３】
その結果、現代に入って、化粧品は皮膚保護クリーム、ローション、パウダー、香水、口紅、マニキュア、マスカラなどの様々な種類が開発されて使用されている。
【０００４】
前述したような化粧品の中でも、マスカラは、まつげを長く、またはカールしているように見せて目を美しくするために使用される製品であって、まつげを濃くかつ長く見えるようにし、目元に立体感を加える化粧品である。
【０００５】
マスカラの一般的な構造は、図１に示すように、内容物が収容された容器体１００と、前記容器体１００を塞ぐブラシ３００付き蓋体２００から構成されており、このような構造のマスカラは、ブラシに内容物を適量付けた後、ブラシを回しながら使用するのが一般的である。
【０００６】
上述した従来のマスカラは、所望のまつげの形を作るために、単にブラシ柄の毛にマスカラ液をつけた後、回転させてまつげに塗る方式であるため、その使用に慣れていない使用者にとっては面倒で難しいだけでなく、化粧の後は汗や涙などにより、まつげに塗られたマスカラ液が流下することがあり、まつげメイク時間も長くかかるという問題点がある。
【０００７】
また、従来のマスカラは、ブラシ毛が鉄線を捻って製造されるので、ブラシ毛がそれぞれ様々な方向性を持つため、化粧のときにまつげがうまく整えられないという欠点がある。
【０００８】
かかる問題点を解決するために、韓国公開特許第１０−２０１１−０１１６４０３号に開示されているマスカラ用コテが開発された。
【０００９】
前記マスカラ用コテは、まつげに塗ったマスカラ液を迅速に乾燥し、まつげメイクを便利にするものであって、熱線による熱がまつげのマスカラ液を乾燥および固着することにより、使用者の所望する形でアイメイクを仕上げることができ、アイメイク時間も短縮することができる。
【００１０】
しかし、前記従来技術では、まつげの形を作るコテのヘッドは、単に熱線が巻き付けられた円筒状からなっており、繊細で美しく、自然なアイメイクを行うには限界があった。
【００１１】
また、熱線がコテのヘッドの外側に露出しているので、アイメイクの際に、前記熱線が使用者の不注意により肌に触れて火傷をするおそれがあり、目を刺し視力を低下させる可能性があった。
【００１２】
さらに、マスカラを用いてアイメイクをした後、コテを用いてまつげを固定させるが、使用者によってはまつげに様々な効果を与えることを望む。つまり、まつげを豊かに見えるようにするボリューム（ｖｏｌｕｍｅ）効果を望むこともあり、まつげを上向きにカールするカーリング（ｃｕｒｌｉｎｇ）効果を望むこともあり、まつげの長さを長く見えるようにするロングラッシュ（ｌｏｎｇ  ｌａｓｈ）効果を望むこともある。このように様々な効果を与えるためには、さまざまな形態のコテを必要とする。ところが、様々な形態のコテを備えるには体積と経済的な問題点があった。
【００１３】
また、コテを用いてまつげメイクをするとき、コテが一定の温度に加熱された状態でまつげメイクを行わなければならないが、現在までの装置では、適正の温度かを確認する方法がなかった。また、発熱体が過熱されることなく連続的に適正の温度を維持するかを確認することが難しかった。このような理由により、コテを誤って使用したり必要以上に長い時間使用したりして安全事故を誘発するという問題点があった。
【発明の概要】
【発明が解決しようとする課題】
【００１４】
本発明は、かかる問題点を解決するためになされたもので、電源をオンさせてから一定の時間後、セットされた温度まで発熱体が加熱されると、これを確認して緑色ランプを点灯させ、併せて一定の温度を超えないよう自動的にオン／オフ機能を実行して、適正の温度を維持した状態でまつげメイクが行われるようにするとともに、使用すべき時間を超えると自動的に電源をオフさせて、余分な使用に起因する安全事故を未然に防止することが目的である。
【課題を解決するための手段】
【００１５】
上記目的を達成するための手段として、本発明は、把持可能な取っ手１０と、前記取っ手１０の内側に設けられるバッテリーケース２０と、前記バッテリーケース２０に装着されるバッテリー３０と、前記取っ手１０の下端に結合され、スイッチ４１、赤色ＬＥＤランプ４２ａおよび緑色ＬＥＤランプ４２ｂを備え、
内部に回路基板Ｐが装着される連結部材４０と、前記連結部材４０の下端に結合され、コテ棒５２とコテヘッド５３からなり、前記コテ棒５２およびコテヘッド５３の内側に発熱体５８を備えるコテ部５０と、前記コテ部を保護するためのカバー６０と、基板上に設置され、ワンチップマイコンからなり、前記発熱体の温度をチェックし、発熱体が基準温度を超える場合には発熱体への供給電源を遮断し、発熱体が基準温度以下の場合には発熱体に電源を供給して常に一定の温度に発熱体が加熱されるように制御する作動制御部７０とを含んでなり、
前記作動制御部７０は、使用者が電源をオンさせると、発熱体に電源を供給して発熱させるとともに赤色ＬＥＤを点灯させ、発熱体に電源を供給した時点から時間をカウントするプログラムコードと、予め指定された時間範囲内に発熱体の温度が８５度に達したか否かを判断するプログラムコードと、予め指定された時間範囲内に８５度に発熱しない場合には、発熱体の故障と判断して発熱体への電源供給を中断するとともに赤色ＬＥＤを点滅させるプログラムコードと、指定された時間範囲内に発熱体の温度が８５度に達した場合には、緑色ＬＥＤを点灯させるとともに使用時間をカウントするプログラムコードと、発熱体の温度が８５度を超過する場合には電源供給を中断し、８５度未満の場合には電源供給をして発熱体の温度が８５度となるように誘導し、指定された時間が経過すると自動的に発熱体への供給電源をオフさせるプログラムコードとを有することを特徴とする。
【００１６】
また、使用者が電源をオンさせると、発熱体に電源を供給して発熱させるとともに赤色ＬＥＤを点灯させ、発熱体に電源を供給した時点から時間をカウントする段階と、予め指定された時間範囲内に発熱体の温度が８５度に達したか否かを判断する段階と、予め指定された時間範囲内に８５度に発熱しない場合には、発熱体の故障と判断して発熱体への電源供給を中断するとともに赤色ＬＥＤを点滅させる段階と、指定された時間範囲内に発熱体の温度が８５度に達した場合には、緑色ＬＥＤを点灯させるとともに使用時間をカウントする段階と、発熱体の温度が８５度を超過する場合には電源供給を中断し、８５度未満の場合には電源供給をして発熱体の温度が８５度となるように誘導し、指定された時間が経過すると自動的に発熱体への供給電源をオフさせる段階とを含んでなることを特徴とする。
【発明の効果】
【００１７】
上述したように、本発明は、電源をオンさせてから一定の時間後、セットされた温度まで発熱体が加熱されると、これを確認して緑色ランプを点灯させ、併せて一定の温度を超えないように自動的にオン／オフ機能を実行して、適正の温度を維持した状態でまつげメイクが行われるようにするとともに、使用すべき時間を超えると自動的に電源をオフさせて、余分な使用に起因する安全事故を未然に防止するという効果がある。
【図面の簡単な説明】
【００１８】
【図１】従来のマスカラの構成図である。
【図２】本発明のマスカラ装置の構成図である。
【図３】本発明のマスカラ装置の分解斜視図である。
【図４】本発明のマスカラ装置の外形の第１実施形態を示す図である。
【図５】本発明のマスカラ装置の外形の第２実施形態を示す図である。
【図６】本発明の断面図である。
【図７】本発明のスイッチング回路の構成図である。
【図８】本発明の昇圧回路の構成図である。
【図９】本発明の作動制御部の構成図である。
【発明を実施するための形態】
【００１９】
以下、添付図面を参照して、本発明の好適な実施形態に係る動作原理を詳細に説明する。但し、下記の図面および後述される説明は、本発明の特徴を効果的に説明するための様々な方法のうちの好適な実施方法に関するものであり、本発明は、下記の図面および説明に限定されるものではない。
【００２０】
また、本発明を説明するにあたり、関連する公知の機能または構成についての具体的な説明が本発明の要旨を無駄に曖昧にするおそれがあると判断される場合には、その詳細な説明を省略する。そして、後述される用語は本発明における機能を考慮して定義された用語であって、これは使用者、運用者の意図または慣例などによって変わりうる。よって、その定義は、本発明において全体の内容をもとに下されるべきである。
【００２１】
また、本発明の好適な実施形態に関連して、本発明をなす技術的構成要素を効率よく説明するためにそれぞれのシステム機能構成に既に備えられている、或いは本発明の属する技術分野で通常備えられるシステム機能構成はできる限り省略し、本発明のためにさらに備えられるべき機能構成を中心に説明する。もし、本発明の属する技術分野における通常の知識を有する者であれば、下記に図示せずに省略された機能構成のうち、既に使用されている構成要素の機能を容易に理解することができ、また、上述のように省略された構成要素と本発明のために追加された構成要素との関係も明らかに理解することができるだろう。
【００２２】
また、以下の実施形態では、本発明の核心的な技術的特徴を効率よく説明するために、本発明の属する技術分野における通常の知識を有する者が明白に理解することができるよう、用語を適切に変形して使用するが、本発明はこれに限定されるものではない。
【００２３】
結果的に、本発明の技術的思想は請求の範囲によって決定され、以下の実施形態は、進歩的な本発明の技術的思想を、本発明の属する技術分野における通常の知識を有する者に効率よく説明するための一つの手段に過ぎない。
【００２４】
図２は本発明のマスカラ装置の構成図である。
【００２５】
図３は本発明のマスカラ装置の分解斜視図である。
【００２６】
図４は本発明のマスカラ装置の外形の第１実施形態を示す図である。
【００２７】
図５は本発明のマスカラ装置の外形の第２実施形態を示す図である。
【００２８】
図６は本発明の断面図である。
【００２９】
図７は本発明のスイッチング回路の構成図である。
【００３０】
図８は本発明の昇圧回路の構成図である。
【００３１】
図９は本発明の作動制御部の構成図である。
【００３２】
本発明の構成要素は、取っ手１０、バッテリーケース２０、バッテリー３０、連結部材４０、コテ部５０、カバー６０、および作動制御部７０を含んでなる。
【００３３】
前記取っ手１０は、本発明のまつげコテを使用するとき、使用者が掴む部分であって、一般に長い円柱状にすることが好ましく、楕円柱状または多角柱状にしてもよい。また、非定型の形状にすることも可能であり、手で把持しやすい形状であれば、いずれの外観でも構わない。
【００３４】
前記バッテリーケース２０は、取っ手１０の内側に設けられ、長い円柱状に一側が開放されてバッテリー３０の装着が可能であり、内側上部にはマイナス接地端子２１を備え、内側下部にはプラス接地端子２２を備え、開放された一側の反対側には接続接地端子２３を備える。前記バッテリーケース２０のマイナス接地端子２１はバッテリー３０のマイナス電極に接地され、プラス接地端子２２はバッテリー３０のプラス電極に接地される。前記接続接地端子２３は、バッテリーケース２０の開放された一側の反対側に位置し、マイナス接地端子２１とプラス接地端子２２とを連結する役割をする。
【００３５】
前記バッテリー３０は、バッテリーケース２０に装着され、消耗型電池および充電式電池のいずれかで形成できる。前記充電式電池は、ソケット型に製作してもよく、ＵＳＢ接続端子型に製作してもよい。ＵＳＢ接続型に製作すると、コンピュータのＵＳＢ連結具を介して電源を充電することもできる。
【００３６】
前記連結部材４０は、スイッチ４１とＬＥＤランプ４２ａ、４２ｂを備え、内部に回路基板Ｐが装着され、取っ手１０の下端に結合される。前記スイッチ４１は、回路基板Ｐ上に設置され、前記スイッチ４１がオン（ＯＮ）になると、バッテリー３０のプラス電極に接地されているプラス接地端子２２と、マイナス電極に接地されているマイナス接地端子２１とを連結する接続接地端子２３が接地されながら、前記バッテリー３０のプラス電極とマイナス電極とが電気的に連結される。上述のようにプラス電極とマイナス電極とが電気的に連結されると、バッテリー３０から供給される電源によってコテ部５０の発熱体５８が発熱される。
【００３７】
前記ＬＥＤランプ４２ａ、４２ｂは赤色ＬＥＤランプと緑色ＬＥＤランプからなるので、赤色ＬＥＤランプは、スイッチ４１の作動の際に初期に点灯して、スイッチを作動させたことを表示する役割をし、緑色ＬＥＤランプは、赤色ＬＥＤランプが点灯してから一定の時間後に点灯するものであって、発熱体が所望の温度に達すると点灯する。そして、緑色ＬＥＤが点灯すると、赤色ＬＥＤは消灯する。
【００３８】
前記作動制御部７０は、基板上に設置されるが、ワンチップマイコンからなり、前記発熱体の温度をチェックし、発熱体が基準温度を超える場合には発熱体に供給される電源を遮断し、発熱体が基準温度以下の場合には発熱体に電源を供給して、常に一定の温度に発熱体が加熱されるように制御する。
【００３９】
また、前記作動制御部は、一定の時間（例えば２０秒）以内に所望の温度に加熱されなければ、基板上に問題があるか或いは発熱体に問題があると把握し、赤色ＬＥＤを点滅させるとともに発熱体への供給電源をオフさせる。
【００４０】
つまり、使用者は、赤色ＬＥＤが点灯すると、発熱体に電源がまともに供給中であることが分かり、緑色ＬＥＤが点灯すると、発熱体が所望の温度に作動中であることが分かり、赤色ＬＥＤが点滅すると、機器に問題があることを認識することができる。
【００４１】
このため、作動制御部７０は、使用者が電源をオンさせると、発熱体に電源を供給して発熱させるとともに赤色ＬＥＤを点灯させ、発熱体に電源を供給した時点から時間をカウントするプログラムコードと、予め指定された時間範囲内に発熱体の温度が８５度に達したか否かを判断するプログラムコードと、予め指定された時間範囲内に８５度に発熱されない場合には、発熱体の故障と判断し、発熱体への電源供給を中断して赤色ＬＥＤを点滅させるプログラムコードと、指定された時間範囲内に発熱体の温度が８５度に達した場合には、緑色ＬＥＤを点灯させて使用時間をカウントするプログラムコードと、発熱体の温度が８５度を超過する場合には電源供給を中断し、８５度未満の場合には電源供給をして発熱体の温度が８５度となるように誘導し、指定された時間が経過すると自動的に発熱体への供給電源をオフさせるプログラムコードとを有する。
【００４２】
まず、連結部材４０にコテ部５０が着脱可能に連結されて交換が可能な構造について説明する。
【００４３】
前記コテ部５０は、連結部材４０の下端に結合され、コテ棒５２とコテヘッド５３からなり、前記コテ棒５２およびコテヘッド５３の内側に発熱体５８を備えてなる。
【００４４】
前記発熱体５８は、バッテリー３０から印加された電源の電流に対する抵抗力により発熱する。一般的に、発熱体５８は、ニクロム線、炭素または石英などの混合物が使用される。
【００４５】
前記コテヘッド５３は、コテ棒５２の下端に結合され、櫛の歯５５が形成されたシリコーンブラシ５４からなる。
【００４６】
前記シリコーンブラシ５４はシリコーンゴムで製作される。前記シリコーンゴムは、高重合度の直鎖状のジオルガノポリシロキサンに微粉シリカなどを補強剤として混合して作ったゴム弾性体であって、発熱する箇所に特殊材料として使用され、電気絶縁材料などとして広く使われ、耐熱性が良く、柔軟性および弾性に優れるうえ、広い温度範囲（−５０度〜１５０度）でも弾性が変わらない。
【００４７】
前記シリコーンブラシ５４は、単一材質であるシリコーンゴムで製作され、生産性に優れて製造コストの低減が可能であり、ゴム成形によって安定した品質の量産が可能なので非常に効率的である。前記シリコーンブラシ５４は、耐熱性、柔軟性および弾性に優れたフッ素ゴム、ウレタンゴムで製作されてもよい。
【００４８】
また、シリコーンブラシ５４の形状を多様化して、使用者の望む効果を得ることができる。まつげを豊かに見えるようにするボリューム（ｖｏｌｕｍｅ）効果を望むこともあり、まつげを上向きにカールするカーリング（ｃｕｒｌｉｎｇ）効果を望むこともあり、まつげの長さを長く見えるようにするロングラッシュ（ｌｏｎｇ  ｌａｓｈ）効果を望むこともある。
【００４９】
このように様々な効果を与えるためには、様々な形態のコテを必要とする。ところが、様々な形態のコテを備えるには体積と経済的な問題点がある。
【００５０】
図４に示すように、前記シリコーンブラシ５４の楔状突起５６が放射状に突設されている。また、図５に示すように、シリコーンブラシ５４は板状のディスク５７が繰り返し隔設される。また、中心から順次それぞれ偏心形成されてジグザグ状に突出するように構成し、より効果的にまつげ全体に均等に熱を伝達することもできる。
【００５１】
前述のように様々な形状のシリコーンブラシ５４と結合したコテ棒５２の交換が可能であるため、使用者の所望する効果を与えることが可能なシリコーンブラシ５４の形状をまつげコテに装着して便利に使える。
【００５２】
前記コテヘッド５３は、櫛の歯５５が形成されたシリコーンブラシ５４からなることが望ましい。前記カバー６０は、コテ部５０を保管する役割をし、上端に開口部６１が形成され、前記開口部６１の内側には第１ねじ山６２が形成される。前記第１ねじ山６２は連結部材４０および固定連結部材４５の下端に螺合される。本発明の実施形態では、螺合を採用しているが、アンダーカット結合または締まりばめなどの様々な結合方法を採用してもよい。
【００５３】
次に、本発明の実施形態に係るまつげコテの組立方法および使用状態を詳細に説明する。本発明のまつげコテを組み立てるためには、バッテリーケース２０にバッテリー３０を装着する。その後、スイッチ４１とＬＥＤランプ４２ａ、４２ｂを備え、内部に回路基板Ｐが装着される連結部材４０の上端に、バッテリーケース２０を装着する。
【００５４】
前記バッテリーケース２０を固定するために、取っ手１０を連結部材４０の上端外側に結合する。その後、コテ棒５２とコテヘッド５３からなり且つ前記コテ棒５２およびコテヘッド５３の内側に発熱体５８を備えたコテ部５０を、連結部材４０の下端内側に結合した後、前記コテ部５０を保管するためにカバー７０を連結部材４０の下端外側に結合することで、本発明のまつげコテの組み立てを完了する。
【００５５】
上述の方法で組み立てられたまつげコテを使用するためにカバー６０を分離した後、取っ手１０を把持し、連結部材４０に設置されたスイッチ４１をオン（ＯＮ）させる。その後、発熱体５８に電源が印加されて発熱体５８が発熱することにより、コテ部５０のシリコーンブラシ５４が適正の温度に加熱される。加熱されたシリコーンブラシ５４を利用して、まつげに塗ったマスカラ液を乾燥、固着させながら、より繊細で自然なアイメイクを行うことができる。それだけでなく、まつげを豊かに見えるようにするボリューム（ｖｏｌｕｍｅ）効果と、まつげを上向きにカールするカーリング（ｃｕｒｌｉｎｇ）効果、およびまつげの長さを長く見えるようにするロングラッシュ（ｌｏｎｇ  ｌａｓｈ）効果を与えることができる様々なシリコーンブラシ５４が結合されたコテ部５０を取り替えて使用することができるため、各種コテを購入する必要がなく、便利で経済的にまつげコテを使用することができる。
【符号の説明】
【００５６】
１０    取っ手
２０    バッテリーケース
３０    バッテリー
４０    連結部材
５０    コテ部
６０    カバー
７０    作動制御部
【図１】
0006322298.tif 000002
【図２】
0006322298.tif 000003
【図３】
0006322298.tif 000004
【図４】
0006322298.tif 000005
【図５】
0006322298.tif 000006
【図６】
0006322298.tif 000007
【図７】
0006322298.tif 000008
【図８】
0006322298.tif 000009
【図９】
0006322298.tif 000010